(57)【要約】      （修正有）【課題】制御基板を収容する基板ケースの蓋体と本体の間隙を拡大して蓋体若しくは本体を弾性変形させるような外力が加えられた場合に、当該外力が加えられたことを一目瞭然に視認可能となる痕跡を残すことができる遊技機を提供する。【解決手段】本体４２或いは蓋体４１の少なくとも何れかは、封止手段の封止状態が保持されたままで、本体４２と蓋体４１の間隙を拡げるために本体４２或いは蓋体４１の何れかを変形させるような外力が加わると、当該外力によって識別容易な破損状態に変化することで前記外力が加えられた痕跡として亀裂６０を明示する痕跡明示部材４４を備える。【選択図】図８
2009219523.tif 000002
【特許請求の範囲】
【請求項１】
遊技に関する制御を行う制御基板が収容される基板ケースを備え、
該基板ケースは、
外部から前記制御基板が視認可能な透明素材により構成された本体と、該本体と組み合わされるとともに外部から前記制御基板が視認可能な透明素材により構成された蓋体と、該蓋体が前記本体と組み合わされた状態で前記基板ケースの外部から前記制御基板に対しての接触不能な封止状態とする封止手段とを具備した遊技機において、
前記本体或いは前記蓋体の少なくとも何れかは、前記封止手段の封止状態が保持されたままで、前記本体と前記蓋体の間隙を拡げるために前記本体或いは前記蓋体の何れかを変形させるような外力が加わると、当該外力によって識別容易な破損状態に変化することで前記外力が加えられた痕跡を明示する痕跡明示手段を備え、該痕跡明示手段が組み合わされた前記本体或いは前記蓋体は、前記外力が加わると痕跡明示手段が簡単に破損して前記本体或いは前記蓋体としての外観を変化させ、外力が加えられたことの痕跡を明示することを特徴とする遊技機。
【請求項２】
前記本体及び前記蓋体は、破損しにくい靱性素材から成り、
前記痕跡明示手段は、
前記靱性素材よりも脆弱で破損し易い脆性素材から成り、且つ、前記本体或いは前記蓋体の少なくとも何れかに対して積層状に係止可能な係止手段を備え、該係止手段により係止状態を保持されたままで前記封止状態となり、前記外力が加えられると前記本体或いは前記蓋体が変形するときに前記破損状態となることを特徴とする請求項１に記載の遊技機。
【請求項３】
前記痕跡明示手段は、
前記係止手段により前記本体或いは前記蓋体の少なくとも何れかの内面側に積層状に係止され、
前記封止手段は、
前記痕跡明示手段が係止された前記本体或いは前記蓋体と、前記本体或いは前記蓋体に対応する前記蓋体或いは前記本体と、を組み合わせた状態で封止状態とすることを特徴とする請求項２に記載の遊技機。
【請求項４】
前記痕跡明示手段は、
前記本体或いは前記蓋体の少なくとも何れかの内面側に積層状に係止可能な形状に形成され、
前記係止手段は、凸形状または凹形状に形成された係止部を備え、
前記本体或いは前記蓋体の少なくとも何れかは、前記係止部に対応する位置に形成されると共に係止部と嵌合して係止する凹形状または凸形状に形成された被係止部を備えたことを特徴とする請求項２又は請求項３に記載の遊技機。
【請求項５】
前記痕跡明示手段は、
前記破損の有無を識別容易な所定の色相で彩色されたことを特徴とする請求項２乃至請求項４に記載の遊技機。
【請求項６】
前記痕跡明示手段は、
前記封止状態において本体及び蓋体の間隙を拡げると痕跡を発生させて前記破損を助長する痕跡発生手段を備えたことを特徴とする請求項１乃至請求項５に記載の遊技機。
【発明の詳細な説明】
【技術分野】
【０００１】
本発明は、遊技に関する制御を行う制御基板が収容される基板ケースを備え、該基板ケースは、外部から前記制御基板が視認可能な透明素材により構成された本体と、該本体と組み合わされるとともに外部から前記制御基板が視認可能な透明素材により構成された蓋体と、該蓋体が前記本体と組み合わされた状態で前記基板ケースの外部から前記制御基板に対しての接触不能な封止状態とする封止手段とを具備した遊技機に関するものである。
【背景技術】
【０００２】
従来から、パチンコ遊技機やスロットマシン等の遊技機には、遊技に関する制御を行うための制御基板が備えられてきた。この制御基板は、当たりが発生した場合に遊技者へ供与される利得の多寡も管理制御するものである。このため、当該制御基板に実装されたＣＰＵ或いは当該制御基板そのものを、不正品と取り替える等の不正改造によって、不当に大きな利得を得ようとする事案が発生した。
これに対して、ＣＰＵや制御基板に容易に触れることが出来ないように、且つ何らかの不正が行われた場合に視認可能なように、比較的靱性の高い透過性部材で形成された基板ケースに制御基板を収容する構成が考案された。また当該基板ケースは、上述したＣＰＵの真贋を検査する際の便宜上、開閉可能な本体及び蓋体で構成され、さらに破壊しない限り基板ケースを開放不能とする封印部（例えば、締結螺子によって本体側に設けられたボス部と蓋体側に設けられたフランジ部を締結することで基板ケースを封印する構成）を備えることで、痕跡を残さずに開放することが不能な構成を備えた遊技機（例えば、特許文献１）が広く提供されるようになった。
【０００３】
【特許文献１】特開平１０−３２８３８５
【発明の開示】
【発明が解決しようとする課題】
【０００４】
ところが、上記した遊技機に対して、収容されたＣＰＵを不正品と取り替える等の不正改造を、封印部に痕跡を残さずに基板ケースを開放して行うという新たな事案が発生した。具体的には、蓋体と本体の当接する封印部のない箇所にドライバー等の道具を強引に挿入し、挿入により発生した間隙を、蓋体若しくは本体が破壊しない程度に押し広げ、不正作業をはたらくというものであった。押し広げられた蓋体若しくは本体は、挿入された道具が抜き去られると、見た目には不正が成されたことが判然としない程度に復元し、これにより不正改造が行われたことに気付くのが遅れ、被害を大きくしてしまった。
このように、従来の基板ケースを備えた遊技機においては、蓋体若しくは本体を弾性変形させて不正行為が成された場合に、一見してその痕跡を視認することが困難であり、これにより甚大な被害を遊技店に及ぼしてしまう、という問題があった。
本発明は、上記問題を解決するためになされたものであり、その目的は、制御基板を収容する基板ケースの蓋体と本体の間隙を拡大して蓋体若しくは本体を弾性変形させるような外力が加えられた場合に、当該外力が加えられたことを一目瞭然に視認可能となる痕跡を残すことができる遊技機を提供することを目的とする。
【課題を解決するための手段】
【０００５】
上記した目的を達成するために、請求項１の発明においては、遊技に関する制御を行う制御基板（主制御基板４３、１４３、２４３）が収容される基板ケース（主制御基板ケース４０、１４０、２４０）を備え、該基板ケースは、外部から前記制御基板が視認可能な透明素材により構成された本体（本体４２、１４２、２４２）と、該本体と組み合わされるとともに外部から前記制御基板が視認可能な透明素材により構成された蓋体（蓋体４１、１４１、２４１）と、該蓋体が前記本体と組み合わされた状態で前記基板ケースの外部から前記制御基板に対しての接触不能な封止状態とする封止手段（左側封止フランジ部４１ａ、下側封止フランジ部４１ｂ、左側封止ボス部４２ａ、下側封止ボス部４２ｂ）とを具備した遊技機（パチンコ機１）において、前記本体或いは前記蓋体の少なくとも何れかは、前記封止手段の封止状態が保持されたままで、前記本体と前記蓋体の間隙を拡げるために前記本体或いは前記蓋体の何れかを変形させるような外力が加わると、当該外力によって識別容易な破損状態に変化することで前記外力が加えられた痕跡（亀裂６０、１６０、２６０）を明示する痕跡明示手段（痕跡明示部材４４、１４４、２４４）を備え、該痕跡明示手段が組み合わされた前記本体或いは前記蓋体は、前記外力が加わると痕跡明示手段が簡単に破損して前記本体或いは前記蓋体としての外観を変化させ、外力が加えられたことの痕跡を明示することを特徴とする。
【０００６】
また、請求項２の発明においては、前記本体及び前記蓋体は、破損しにくい靱性素材から成り、前記痕跡明示手段は、前記靱性素材よりも脆弱で破損し易い脆性素材から成り、且つ、前記本体或いは前記蓋体の少なくとも何れかに対して積層状に係止可能な係止手段（上係止凸片４４ａ、横係止凸片４４ｂ）を備え、該係止手段により係止状態を保持されたままで前記封止状態となり、前記外力が加えられると前記本体或いは前記蓋体が変形するときに前記破損状態となることを特徴とする。
【０００７】
また、請求項３の発明においては、前記痕跡明示手段は、前記係止手段により前記本体或いは前記蓋体の少なくとも何れかの内面側に積層状に係止され、前記封止手段は、前記痕跡明示手段が係止された前記本体或いは前記蓋体と、前記本体或いは前記蓋体に対応する前記蓋体或いは前記本体と、を組み合わせた状態で封止状態とすることを特徴とする。
【０００８】
さらに、請求項４の発明においては、前記痕跡明示手段は、前記本体或いは前記蓋体の少なくとも何れかの内面側に積層状に係止可能な形状に形成され、前記係止手段は、凸形状または凹形状に形成された係止部（上係止凸片４４ａ、横係止凸片４４ｂ）を備え、前記本体或いは前記蓋体の少なくとも何れかは、前記係止部に対応する位置に形成されると共に係止部と嵌合して係止する凹形状または凸形状に形成された被係止部（上係止凹部４１ｅ、横係止凹部４１ｆ）を備えたことを特徴とする。
【０００９】
さらに、請求項５の発明においては、前記痕跡明示手段は、前記破損の有無を識別容易な所定の色相で彩色されたことを特徴とする。
【００１０】
さらに、請求項６の発明においては、前記痕跡明示手段は、前記封止状態において本体及び蓋体の間隙を拡げると痕跡を発生させて前記破損を助長する痕跡発生手段（切れ込み部１５０、中抜き部２５０）を備えたことを特徴とする。
【発明の効果】
【００１１】
請求項１に係る発明においては、不正行為などによって、封止状態にある本体及び蓋体の間隙の増加が発生すると、本体或いは蓋体の少なくとも何れかに組み合わされた痕跡明示手段が破壊され、一目瞭然な状態となる。これにより、不正に封止状態が破られたこと、或いは破ろうとされたことを容易に発見することができる。
【００１２】
請求項２に係る発明においては、痕跡明示手段は脆性素材から成るとともに、係止手段によって本体と蓋体の少なくとも何れかと係止手段によって積層状に係止されているので、不正行為などによって、封止状態における本体及び蓋体の間隙の増加が発生すると、間隙の増加に伴う本体或いは蓋体の変形時に破損して、容易に視認可能な破損状態となる。
【００１３】
請求項３に係る発明においては、靱性素材から成る本体或いは蓋体の少なくとも何れかは、制御基板及び脆性素材から成る痕跡明示手段の外側に設けられるので、外部からの制御基板への干渉を防止可能であるとともに、痕跡明示手段の破損を防止することができる。これにより、痕跡明示手段は、間隙の増加に伴う変形によってのみ破損することができる。
【００１４】
請求項４に係る発明においては、前記本体或いは前記蓋体の少なくとも何れかに対して、痕跡明示手段を積層状に容易に係止することができる。
【００１５】
請求項５に係る発明においては、痕跡明示手段は所定の色相で彩色されているので、破損の有無を容易に発見しやすい。
【００１６】
請求項６に係る発明においては、痕跡発生手段が、間隙の増加に伴う変形によって痕跡を発生させるため、容易に破損状態を発生させることができる。
【発明を実施するための最良の形態】
【００１７】
以下、本発明におけるいくつかの実施例について、図面を参照して説明する。
【実施例１】
【００１８】
図１は、本発明の実施例における遊技機の一例としてパチンコ機１の外観を示す概略正面図である。但し、図１では便宜上、図２で示す遊技盤面上に形成された遊技領域３０ａ内の構成を空白で示している。パチンコ機１は、縦長の長方形に形成された外枠２と、外枠２に対して開閉可能に取り付けられる内枠３とから構成される。さらに内枠３は複層で構成され、前面側の構成として、ガラスパネル４と上球皿パネル５ａ、更に下球皿パネル５ｂとを備える。
【００１９】
上述したガラスパネル４は、略楕円形の開口窓部６が形成されており、開口窓部６の背面には着脱自在に２枚のガラスが取り付けられている。また、開口窓部６の周囲は合成樹脂製の装飾部７で囲まれ、装飾部７の内部には装飾ＬＥＤ８７が設けられている。上球皿パネル５ａの中央には発射される遊技球を貯留する上球皿９ａが設けられている。当該上球皿９ａの左下方にはスピーカ８が、右上方には演出ボタン８６が設けられている。更に、下球皿パネル５ｂには上球皿９ａから溢れた遊技球を貯留する下球皿９ｂが設けられ、下球皿９ｂの右側前部には、遊技球を発射する発射装置（図示しない）の発射力を調整するための発射ハンドル１０が設けられている。
【００２０】
図２は、本実施例の遊技盤面上に形成された遊技領域３０ａ内の構成を説明する概略正面図である。遊技盤３０は略矩形状に形成され、中央に上述した略円形状に区画形成され且つ打ち込まれた遊技球が流下する遊技領域３０ａを備える。遊技領域３０ａの中央やや下部には、上部に始動入賞口１１ａを開設してなる始動入賞装置１１が設けられる。始動入賞装置１１の直上方には、液晶表示装置１４を具備してなるセンター役物１３が設けられている。液晶表示装置１４は、遊技領域３０ａを流下した遊技球が始動入賞口１１ａに入賞したことに基づいて、複数種類の図柄を変動させた後に停止して予め決められた当たり図柄若しくはハズレ図柄を表示する。始動入賞装置１１の直下方には、略横長の矩形状に形成されて遊技領域３０ａを流下してきた遊技球が流入可能な大入賞口１５と、略横長の矩形板状に形成され且つ大入賞口１５の前方下部に枢設されて大入賞口１５を開閉する開閉扉１６と、を備えた可変入賞装置１７が設けられている。液晶表示装置１４で当たり図柄が表示されると、可変入賞装置１７の開閉扉１６が開放作動して、多くの遊技球が大入賞口１５に入賞可能なように大入賞口１５を開放する大当たり遊技状態に移行する。大当たり遊技状態は、開閉扉１６が開放作動して、所定時間（例えば３０秒間）が経過するか、若しくは所定個数（例えば９個）の遊技球が大入賞口１５に入賞するか、のうち何れか早く発生したことに基づいて終了する大入賞口１５の開放状態を１ラウンドとして、当該ラウンドを複数回（例えば１５回）に亘って反復継続して実行することにより、入賞した遊技球に対応した大量の賞球を遊技者に払い出すものである。また、始動入賞装置１１の両側方には、遊技球が常に入賞可能な普通入賞口１２が開設されている。更に、遊技領域３０ａの最下部には、何れの入賞口にも入賞しなかった遊技球を裏面側に向けて排出するためのアウト口１８が開設されている。
【００２１】
図３を参照して、パチンコ機１の裏面側構造について説明する。図３は、本実施例における遊技機の一例としてパチンコ機１の外観を示す概略裏面斜視図である。パチンコ機１の裏面には、上述した何れかの入賞の発生に基づいて所定個数の賞球を払い出すための各種の機構を装備した裏機構板２０が設けられる。裏機構板２０は、払い出しのための遊技球を貯留する球タンク２１と、球タンク２１に貯留された遊技球を払い出すための払出ユニット２２を備える。更に、遊技に関する制御を行う本発明の制御基板としての主制御基板４３（図５参照）を収容すると共に本発明の要部である本発明の基板ケースとしての主制御基板ケース４０と、パチンコ機１に電源を供給するための制御を実行する電源基板（図示しない）を収容する電源基板ケース２３と、主制御基板４３からの払出信号に基づいて所定個数の遊技球の払出のために払出ユニット２２を払出制御する払出制御基板（図示しない）を収容する払出制御基板ケース２４と、主制御基板４３からの信号に基づいて遊技の演出を含む各種制御を実行する周辺制御基板（図示しない）を収容する周辺制御基板ケース２５と、周辺制御基板からの演出信号に基づいて、上述した装飾ＬＥＤ８７や遊技盤３０に設けられた図示しない各種発光部材の発光制御や、スピーカ８の音声制御等の演出制御を実行する演出制御基板（図示しない）を収容する演出制御基板ケース２６と、を備える。
【００２２】
ここで主制御基板４３について更に説明する。主制御基板４３は、始動入賞口１１ａへの入賞に基づいて当たりかハズレかを抽選判定し、判定結果に基づいて周辺制御基板及び演出制御基板を介して液晶表示装置１４、装飾ＬＥＤ８７、更にスピーカ８等を演出制御し、液晶表示装置１４で図柄を変動させた後に上記判定結果に基づく図柄を表示制御し、当たり図柄が表示されると大当たり遊技状態に移行して可変入賞装置１７を開放制御し、当該開放作動中に発生した入賞に基づいて払出制御基板を介して所定個数の賞球を遊技者に払い出すよう払出制御するよう構成され、遊技に関して統括的に制御を実行するものである。そして、このような機能は、主制御基板４３に実装された主制御用ＣＰＵ４３ａ（図５参照）によるものである。本発明はこのような主制御用ＣＰＵ４３ａを実装した主制御基板４３を収納する主制御基板ケース４０に関するものであって、次に図４乃至図６を参照して本発明における要部である基板ケースとしての主制御基板ケース４０の構成を説明する。
【００２３】
図４は、本実施例における基板ケースの組み付け状態を示す概略斜視図である。図５は、本実施例における基板ケースの分解状態を示す概略斜視図である。図６は、本実施例における痕跡明示手段及び蓋体の組み付け構成を示す概略説明図である。図４に示すように、本発明における基板ケースとしての主制御基板ケース４０は、蓋体４１と本体４２で構成される。蓋体４１と本体４２は、何れも透過性部材により形成されることにより、収容する主制御基板４３等の状態を外部から容易に視認可能に構成されてなる。図４では、便宜上、内部の構成を図示しない。なお、本実施例の蓋体４１及び本体４２には、無色透明の透過性部材として例えばポリカーボネイト樹脂等の比較的破損しにくい靱性素材が採用されている。
【００２４】
図５に示すように本体４２は、前面が開口してなる略箱状に形成され、上記した主制御用ＣＰＵ４３ａ等の各種電子部品を実装した主制御基板４３を、図示しない螺子によって螺着して構成される。また、蓋体４１は、裏面が開口してなる略箱状に形成されると共に裏面周縁部が本体４２の前面周縁部と当接して、後述する封止手段によって封止された組み付け状態において、容易に外部からの接触、或いは干渉が為されにくい構成となっている。上記接触及び干渉とは、主制御基板ケース４０内部に収容した主制御基板４３或いは主制御基板４３に実装された主制御用ＣＰＵ４３ａ等の各種電子部品に対して、本来の機能を損なうような外力を加えること、本来の機能とは異なる機能を発揮するような不正部品への交換、同様に不正部品の取付、正規部品の取り外し等、故意又は過失により為される行為全般を示唆するものであって、当該行為によって遊技機が出荷当初に予定された機能とは異なる機能を発揮したり、若しくは上記予定された機能が発揮しなくなったりする事象を招来するものである。
【００２５】
更に蓋体４１には、後で詳述する組み付け構成により、本発明の要部である痕跡明示手段としての痕跡明示部材４４が取付可能となっている。本実施例の痕跡明示部材４４は、蓋体４１の内面部形状に概ね沿った大きさ及び形状であり、且つ裏面側に開口した薄肉厚の形状に構成されている。更に、痕跡明示部材４４には、上述したポリカーボネイト樹脂等の靱性素材に対して、これよりも靱性が低い、すなわち脆くて僅かな変形によっても破壊してしまう例えばスチレン樹脂等の脆性素材が採用されている。これによって、当該２種類の素材により形成された蓋体４１と痕跡明示部材４４に、外力が加わって各々に同じ変位が発生した場合、靱性素材で形成された蓋体４１が弾性領域内にあって変形後に復元しても、脆性素材で形成された痕跡明示部材４４は破損して外力が加わって変形したことの痕跡を明確に残すことが可能となる。
【００２６】
なお、靱性素材及び脆性素材に関して、ポリカーボネイト樹脂等及びスチレン樹脂等を例示したが、これに限定する必要はない。靱性素材と脆性素材は、両者の靱性が相対的に、前者に比較して後者は低い関係にあり、且つ本発明の課題を解決する手段として構成する上で十分な機能を有するものであれば他の素材でも構わない。
【００２７】
本体４２の構成について更に詳述する。本体４２は、上部且つ左右両側方に後述する蓋体４１のヒンジ軸受け部４１ｃに対応したヒンジ軸部４２ｃを備える。また、左側部には、上下方向に４個の左側封止ボス部４２ａと、下部には、左右方向に４個の下側封止ボス部４２ｂと、を備える。
【００２８】
蓋体４１の構成についても詳述する。蓋体４１は、上述した本体４２に対応して、上部且つ左右両側方にヒンジ軸受け部４１ｃを備える。該ヒンジ軸受け部４１ｃは、ヒンジ軸部４２ｃに係る軸体（図７参照）のおよそ半分の外周を囲むように構成され、これにより蓋体４１が本体４２の上部において開閉可能に枢設してなるものである。また、左側部及び下部には、上述した本体４２の左側封止ボス部４２ａと下側封止ボス部４２ｂに対応して、左側封止フランジ部４１ａと下側封止フランジ部４１ｂが設けられている。この相対する構成は、図４に示すように、組み付け状態において相互に当接するよう形成されており、このように当接した状態で図示しない封止螺子（例えばワンウェイねじ）を、左側封止フランジ部４１ａから左側封止ボス部４２ａに向けて、更に下側封止フランジ部４１ｂから下側封止ボス部４２ｂに向けて挿入して螺着することで、主制御基板ケース４０を外部から主制御基板４３に対して干渉不能に封止するものである。すなわち、左側封止フランジ部４１ａと左側封止ボス部４２ａと封止螺子、及び下側封止フランジ部４１ｂと下側封止ボス部４２ｂと封止螺子、は本発明の封止手段である。なお、本実施例の封止手段は左側部及び下部に各々４組設けられているが、１回の封止に際して１組ずつを使用することで、合計４回の封止が可能となっている。
【００２９】
蓋体４１及び痕跡明示部材４４の更に詳細な構成について、図６も参照して説明する。先ず図６は、図５に示すＡ矢視の方向から視た場合の蓋体４１及び痕跡明示部材４４の側面図である。痕跡明示部材４４の上部には、上方に向かって凸状且つ横長に形成された上係止凸片４４ａが凸設される。また、痕跡明示部材４４の左側部には、左側方に向かって凸状に形成された横係止凸片４４ｂが、上部及び下部の各々２箇所に凸設されている。なお図示していないが、痕跡明示部材４４の右側部には、上述した横係止凸片４４ｂと同様の構成が備えられている。
【００３０】
図６（Ａ）に示すように、蓋体４１の内壁部には、痕跡明示部材４４を組み付ける構成として、付勢部材４１ｄ、上係止凹部４１ｅ、横係止凹部４１ｆを備える。付勢部材４１ｄは、図示した断面波形状に形成され且つ所定の奥行き寸法（図示しない）で、蓋体４１の下側内壁部に設けられている。本実施例の付勢部材４１ｄは、バネ鋼板等の弾性部材で構成され、図６（Ｂ）に示すように蓋体４１に痕跡明示部材４４が収納された場合には、痕跡明示部材４４を上方に向かって付勢するよう機能する。付勢部材４１ｄの取り付け構造は示さないが、例えば係止構造、螺着構造等、当該付勢部材４１ｄが痕跡明示部材４４を上方に向かう付勢機能を発揮可能であるならば周知技術として何れの方法を採用しても構わない。更にいえば、蓋体４１と一体的に付勢部材を形成したものであってもよい。
【００３１】
次に、蓋体４１の上側内壁部には、痕跡明示部材４４の上係止凸片４４ａが嵌合可能な大きさ及び形状で、上係止凹部４１ｅが上方に向かって凹設されている。さらに、蓋体４１の左右内壁部には、上述した４箇所の横係止凸片４４ｂに対応した横係止凹部４１ｆが、各々左右方向に向かって略Ｌ字状に凹設されている。
【００３２】
上述した蓋体４１及び痕跡明示部材４４の組み付け方法を説明する。蓋体４１に対して、図６（Ａ）に図示した矢印の軌道に沿って痕跡明示部材４４を移動させる。つまり、痕跡明示部材４４を図示右方向に移動させ、横係止凸片４４ｂを横係止凹部４１ｆに嵌合する。当該嵌合が進行するに伴い付勢部材４１ｄが痕跡明示部材４４を上方に付勢開始する。痕跡明示部材４４は、横係止凸片４４ｂが略Ｌ字状の横係止凹部４１ｆ内を進行して上方に向かって連通する箇所に到達すると、付勢部材４１ｄの付勢力によって上方に移動する。このとき、図６（Ｂ）に示すように、上係止凸片４４ａが上係止凹部４１ｅの上部に、横係止凸片４４ｂが横係止凹部４１ｆの上部に係止され、さらに付勢部材４１ｄが上方に付勢することによって当該状態を維持する。当該状態とは、蓋体４１の内部に、内壁面に概ね倣う状態で痕跡明示部材４４が係止され、換言すれば蓋体４１に対して痕跡明示部材４４が積層状に係止されて係止状態を維持した状態である。更にいうならば、当該状態は、蓋体４１に対して何らかの外力が加わって蓋体４１が一定の変位量だけ変形すると、この変形に伴って痕跡明示部材４４も同じだけの変位量の変形を起こすように位置が固定された係止状態である。
【００３３】
上記係止状態を維持したままで、本実施例の蓋体４１はヒンジ軸受け部４１ｃを、本体４２のヒンジ軸部４２ｃに係止し、蓋体４１を回転させて、主制御基板ケース４０を閉鎖し、続いて４個の左側封止フランジ部４１ａの内の何れかとこれに対応した左側封止ボス部４２ａとを封止螺子により螺着し、同じく４個の下側封止フランジ部４１ｂの内の何れかとこれに対応した下側封止ボス部４２ｂとを封止螺子により螺着することで、主制御基板ケース４０を封止状態とする。
【００３４】
したがって、上係止凸片４４ａ、横係止凸片４４ｂは、本発明の係止手段であり、さらに上係止凸片４４ａ、横係止凸片４４ｂは、本発明の係止部であり、上係止凹部４１ｅ、横係止凹部４１ｆは、本発明の被係止部である。
【００３５】
加えて本実施例の痕跡明示部材４４は、後述する破損が生じた際に、主制御基板ケース４０の外部から容易に破損の有無を識別容易であって、且つ主制御基板ケース４０の外部から収容された主制御基板４３の状態を視認可能な透過性を備えた所定の色相（例えば赤）で彩色されて構成されている。但し、説明の便宜上、上記色相は図示しない。
【００３６】
上述した構成を備える本実施例の主制御基板ケース４０の作用について、図７乃至図９を参照して説明する。図７は、本実施例の痕跡明示手段に破損が発生する前の状態を示す概略説明図である。図８は、本実施例の痕跡明示手段に破損が発生中の状態を示す概略説明図である。図９は、本実施例の痕跡明示手段に破損が発生した後の状態を示す概略説明図である。図７に示すように、封止手段に破壊痕を残さずに不正改造を為そうとする者は、主制御用ＣＰＵ４３ａを実装した主制御基板４３を内部に収容し、蓋体４１に対して積層状に痕跡明示部材４４を係止して、封止状態にある主制御基板ケース４０に対して、左側封止フランジ部４１ａと左側封止ボス部４２ａ、及び下側封止フランジ部４１ｂと下側封止ボス部４２ｂを破壊する正規の開封方法ではなく、すなわち蓋体４１と本体４２が当接する箇所にドライバー様の道具を図示矢印のように挿入してこじ開ける、といった不正な方法によって主制御基板ケース４０の開放を行う。
【００３７】
このような行為が行われると、図８に示すように蓋体４１が反って弾性変形を起こす。このとき、蓋体４１は上述したように透過性を有する靱性素材で形成されているため弾性領域内においては復元可能な程度で変形するが、痕跡明示部材４４は係止手段によって変形する蓋体４１に係止されることで、同様に変形しようとする。しかし、上記靱性素材よりも脆く大きな変形には耐えられずに破損してしまう脆性素材で形成された痕跡明示部材４４は、いとも簡単に破損の痕跡としての亀裂６０が発生し、痕跡明示部材４４が係止された蓋体４１の外観は著しく変容する。
【００３８】
亀裂６０が発生してしまった場合、挿入していた上記道具を抜き去っても、図９に示すように、蓋体４１が元の通り仮に復元したとしても、痕跡明示部材４４には亀裂６０が破損痕として残り、痕跡明示部材４４が係止された蓋体４１の変容は、それを視認する者に対して視覚的違和感を与え、一目瞭然に何らかの外力が加えられたことを察知させる。当該亀裂６０は、蓋体４１が本実施例では無色透明の素材で形成されていること、さらに痕跡明示部材４４が例えば赤色の色相で彩色されていることから、主制御基板ケース４０の外部から視て、一目瞭然に破損が発生したことを容易に視認可能となっている。つまり、亀裂６０から視える主制御基板４３の色相が仮に緑色だとすると、亀裂６０以外の箇所から視える主制御基板４３の色相は、緑と赤の混合色として黄色に視えるため、一見して異常を認識し易くなっている。このように、本実施例の痕跡明示部材４４は、本体４２と蓋体４１の当接部に何らかの道具を挿入して間隙を拡げるために蓋体４１を変形させるような外力が加えられると、当該外力が加えられた痕跡を明示するものである。
【実施例２】
【００３９】
次いで、本発明に係る他の実施例を図１０を参照して説明する。図１０は、本実施例における痕跡発生手段を説明する概略説明図である。なお、本実施例の構成として、上述した実施例１の構成と同様の構成に関する説明は便宜上、割愛するものとする。
【００４０】
図１０（Ａ）に示すように本実施例の主制御基板ケース１４０は、蓋体１４１と本体１４２を備え、内部に主制御基板１４３を収容する。さらに痕跡明示部材１４４は、開口側の周縁部に本発明の痕跡発生手段としての切れ込み部１５０を複数備える。切れ込み部１５０は、開口側から反対側に向けて鋭角に収束する略Ｖ字状に切り欠き形成されている。これにより、蓋体１４１と本体１４２の間隙が拡げられて、蓋体１４１が変形した場合、痕跡明示部材１４４にかかる応力が何れかの切れ込み部１５０に集中して、亀裂１６０の発生をさらに容易にし、助長することが可能となる。
【００４１】
図１０（Ｂ）を参照して本実施例の変形例を説明する。主制御基板ケース２４０は、蓋体２４１と本体２４２を備え、内部に主制御基板２４３を収容する。さらに痕跡明示部材２４４は、側面部に本発明の痕跡発生手段としての中抜き部２５０を複数備える。中抜き部２５０は、略星形状に形成されている。これにより、蓋体２４１と本体２４２の間隙が拡げられて、蓋体２４１が変形し亀裂２６０が発生した場合、中抜き部２５０の何れかの鋭角部に亀裂２６０が到達し、さらに他の何れかの鋭角部に応力集中して大きな亀裂２６０の発生を促進することが可能となる。また、中抜き部２５０は、略星形状すなわち放射状線方向に向けて鋭角に収束する略Ｖ字状に切り欠き形成された複数の切り込み部により構成されることで、痕跡明示部材２４４が変形して破損する際に、亀裂２６０が当該中抜き部２５０に到達した後、切り込み部の尖端に応力が集中しやすく、亀裂２６０の発生を促進し、助長することが出来る。
【００４２】
また、図示しないが、本実施例の他の変形例として、以下のような構成も本発明の技術思想に含まれる。例えば、蓋体と本体の間隙が拡大される際に入ることが予想される亀裂痕跡に倣って、痕跡明示部材に複数条の痕跡発生手段としての溝部を形成する。これにより、痕跡明示部材に一定以上の応力が加えられると、容易に亀裂が前記溝部に発生し易くなる。さらに、痕跡明示部材を樹脂成形により形成する際、押し出し方向等により決定されるその分子配列等の、所謂目を、予想される亀裂に沿った方向となるように成形する。これにより、複雑な構成を備えずに、より容易に亀裂が発生しやすくなる。
【実施例３】
【００４３】
次いで、本発明に係る他の実施例を図１１を参照して説明する。図１１は、本実施例における痕跡明示手段を説明する概略説明図である。なお、本実施例の構成として、上述した実施例１の構成と同様の構成に関する説明は便宜上、割愛するものとする。
【００４４】
図１１に示すように本実施例の主制御基板ケース３４０は、蓋体３４１と本体３４２を備え、内部に図示しない主制御基板を収容する。さらに本実施例の痕跡明示手段は、蓋体３４１の内面部の各側面に対して各々積層状に設けられる。つまり、図示したように、痕跡明示部材３４４ａ乃至３４４ｅを、各々個別に係止して備えるものである。係止手段に関しては蓋体３４１の変形に伴い応力を受ける構成であって且つ脆性素材で形成される痕跡明示部材３４４ａ乃至３４４ｅが係止の際に破損しないような構成ならばどのような方法でも構わない。痕跡明示手段を、痕跡明示部材３４４ａ乃至３４４ｅとして構成することにより、蓋体３４１の内面部の各側面に対してのみ各々積層状に設けられるために、蓋体３４１の前面部と主制御基板との間に介在するものがないため、主制御基板の状態を視認しやすくなる。また、単純な平板状に形成することで、金型費等の製造コストを大きく低減することが可能となると共に、たとえ破損が生じた場合にも破損した箇所のみを交換することが可能となり、経済的効果が期待できる。
【００４５】
また、本実施例の変形例として、上述した痕跡明示部材３４４ａ乃至３４４ｅを連結して、すなわち略枠形状に構成した方法が考えられる。このようにしても蓋体３４１の内面部の各側面に対してのみ各々積層状に設けられるために、蓋体３４１の前面部と主制御基板との間に介在するものがないため、主制御基板の状態を視認しやすくなる効果を奏することが出来る。
【００４６】
以上、本発明に係る各実施例について説明してきたが、これに限定するものではなく、本発明の技術思想から逸脱しない限り、他の構成であっても良い。
【００４７】
例えば、以上に説明した実施例では、痕跡明示手段を蓋体の内面側に積層状に係止したものを示したが、蓋体ではなく本体の内面側に積層状に係止したもの、或いは蓋体と本体の各内面側に積層状に係止したものであっても良い。これにより、本体のみを変形させた場合や、本体と蓋体の両方を変形させた場合であっても、その痕跡を明示することが可能となる。また、基板ケースの構成として、他の構成を採用した場合においても、適宜これに対応して痕跡を残すことが可能となる。また、蓋体と本体の各内面側に積層状に係止したことにより、痕跡が残らない部分を保存する可能性が高くなり、本体或いは蓋体の外観として、痕跡の残った部分と残らなかった部分とを共に視認することが出来るので、より痕跡が違和感を与え、確実に認識し易くなる。
【００４８】
また、痕跡明示手段を蓋体或いは本体の内面側に積層状に係止したものに限らず、外面側に備えたもの、或いは内面側と外面側に備えたものであっても良い。このように構成することにより、蓋体若しくは本体を介して痕跡としての亀裂を視認することなく直接視認可能となるため、一目瞭然に変形のあった痕跡を確認することが可能となる。また、内外両面に備えた場合、内外の痕跡明示手段に発生する痕跡としての亀裂は概ね同じ位置となり、痕跡としての亀裂が視覚的により強調して見えるため、痕跡の存在を容易に認識できる。また、外面に痕跡明示手段を備えることで、痕跡明示手段の存在をより明らかにすることが出来るので、これから不正な開放に及ぼうとする者に対して、不正行為の抑止力となる。また、蓋体及び本体の内部構造に対して痕跡明示手段を容易に積層構造とすることが出来ない場合には、外面側に積層状にすることで、痕跡明示手段の設計製造が容易となる。さらに、外面側に備えることで、本発明の課題である変形とは別に、基板ケースに対して何らかの外力が加わったことの痕跡を残すことが可能となる。
【００４９】
また、痕跡明示手段の係止箇所に関しては、上記した蓋体側、本体側、内面側、外面側の各パターンを随意組み合わせたものであっても良い。これにより、本体及び蓋体の設計パターンに対応可能となる。
【００５０】
また、以上に説明した実施例では、制御基板を本体に取り付ける構成のものを示したが、これに限定せず、蓋体に備えたものであっても良い。
【００５１】
また、以上に説明した実施例では、蓋体及び本体は、無色透明の部材で形成するものを説明したが、内部の状態が容易に視認可能な透明素材であって、さらに痕跡明示手段の破損の有無を容易に確認出来る色相であれば無色に限らず、何らかの色相で彩色されたものであっても良い。さらに、何らかの色相で痕跡明示手段が彩色されている場合に、当該色相との組み合わせた場合に、より一層に痕跡明示手段の破損の有無を視認容易となる色相であれば、何らかの色相で彩色されたものであっても良い。これにより、亀裂等の痕跡を形状の異常のみならず、色相の異常からも視認可能となり、さらに容易に変形のあったことを認識できる。
【００５２】
また、痕跡明示手段の係止手段の構成は、上述した実施例に例示した構成に限らず、痕跡明示手段を蓋体若しくは本体に安全且つ容易に取り付け係止することが可能であって、且つ蓋体若しくは本体が変形した場合にこれに伴って同様に変形することが可能な構成であれば、他の構成を採用しても構わない。
【００５３】
また、痕跡明示手段の他の例として、当初は糊等のようなゲル状のものを含む液相であって、本体若しくは蓋体に塗布或いは噴霧すると固相に変化し、本体若しくは蓋体が変形すると、落剥して変形の痕跡を残すような性質を備えた薬剤で構成されたものであってもよい。これにより、本体或いは蓋体の形状が複雑であっても、容易に且つ万遍なく本体或いは蓋体に対して積層状に係止可能となる。更に、当該痕跡明示手段は透過性のある何らかの色相で彩色されたものであれば、変形により剥落した箇所が痕跡として明確に示すことが可能となる。
【００５４】
更に、以上に説明した実施例では、遊技機の一例としてパチンコ機を例示したが、これに限らず、本発明における基板ケースを備えた遊技機であれば他の遊技機でも良く、例えばスロットマシン等でも良い。
【産業上の利用可能性】
【００５５】
パチンコ機或いはスロットマシン等の制御基板を収容する基板ケースを備えた遊技機に利用できる。
【図面の簡単な説明】
【００５６】
【図１】本発明の実施例における遊技機の一例としてパチンコ機の外観を示す概略正面図である。
【図２】本実施例の遊技盤面上に形成された遊技領域３０ａ内の構成を説明する概略正面図である。
【図３】本実施例における遊技機の一例としてパチンコ機１の外観を示す概略裏面斜視図である。
【図４】本実施例における基板ケースの組み付け状態を示す概略斜視図である。図５は、本実施例における基板ケースの分解状態を示す概略斜視図である。
【図５】本実施例における基板ケースの分解状態を示す概略斜視図である。
【図６】本実施例における痕跡明示手段及び蓋体の組み付け構成を示す概略説明図である。
【図７】本実施例の痕跡明示手段に破損が発生する前の状態を示す概略説明図である。
【図８】本実施例の痕跡明示手段に破損が発生中の状態を示す概略説明図である。
【図９】本実施例の痕跡明示手段に破損が発生した後の状態を示す概略説明図である。
【図１０】本実施例における痕跡発生手段を説明する概略説明図である。
【図１１】本実施例における痕跡明示手段を説明する概略説明図である。
【符号の説明】
【００５７】
１  パチンコ機（遊技機）
２  外枠
３  内枠
４  ガラスパネル
５ａ  上球皿パネル
５ｂ  下球皿パネル
６  開口窓部
７  装飾部
８  スピーカ
９ａ  上球皿
９ｂ  下球皿
１０  発射ハンドル
１１ａ  始動入賞口
１１  始動入賞装置
１２  普通入賞口
１３  センター役物
１４  液晶表示装置
１５  大入賞口
１６  開閉扉
１７  可変入賞装置
１８  アウト口
２０  裏機構板
２１  球タンク
２２  払出ユニット
２３  電源基板ケース
２４  払出制御基板ケース
２５  周辺制御基板ケース
２６  演出制御基板ケース
３０  遊技盤
３０ａ  遊技領域
４０  主制御基板ケース（基板ケース）
４１  蓋体
４１ａ  左側封止フランジ部（封止手段）
４１ｂ  下側封止フランジ部（封止手段）
４１ｃ  ヒンジ軸受け部
４１ｄ  付勢部材（係止手段）
４１ｅ  上係止凹部（被係止部）
４１ｆ  横係止凹部（被係止部）
４２  本体
４２ａ  左側封止ボス部（封止手段）
４２ｂ  下側封止ボス部（封止手段）
４２ｃ  ヒンジ軸部
４３  主制御基板（制御基板）
４３ａ  主制御用ＣＰＵ
４４  痕跡明示部材（痕跡明示手段）
４４ａ  上係止凸片（係止部、係止手段）
４４ｂ  横係止凸片（係止部、係止手段）
６０  亀裂（痕跡）
８６  演出ボタン
８７  装飾ＬＥＤ
１４０  主制御基板ケース（基板ケース）
１４１  蓋体
１４２  本体
１４３  主制御基板（制御基板）
１４４  痕跡明示部材（痕跡明示手段）
１５０  切れ込み部（痕跡発生手段）
１６０  亀裂（痕跡）
２４０  主制御基板ケース（基板ケース）
２４１  蓋体
２４２  本体
２４３  主制御基板（制御基板）
２４４  痕跡明示部材（痕跡明示手段）
２５０  中抜き部（痕跡発生手段）
２６０  亀裂（痕跡）
３４０  主制御基板ケース
３４０ａ〜３４０ｅ  痕跡明示部材（痕跡明示手段）
【図６】
2009219523.tif 000003
【図７】
2009219523.tif 000004
【図８】
2009219523.tif 000005
【図９】
2009219523.tif 000006
【図１０】
2009219523.tif 000007
【図１】
2009219523.tif 000008
【図２】
2009219523.tif 000009
【図３】
2009219523.tif 000010
【図４】
2009219523.tif 000011
【図５】
2009219523.tif 000012
【図１１】
2009219523.tif 000013